(57)【要約】【課題】  太陽電池の濃紫色が見えず、且つ、金属感を持つ見返しリングが付いた太陽電池付時計を提供する。【解決手段】  風防ガラスと文字板との間で、文字板の外周縁部に配設した見返しリングと太陽電池とを有する太陽電池付時計において、見返しリングは、一部に開口部を有する非透光性部材からなる第１の見返しリング３３と透光性部材からなる第２の見返しリング３４の複数の部材で構成し、第１の見返しリング３３の複数の開口部３３ａは見返し面に模様、数字、文字、マークなどの形状で形成し、第２の見返しリング３４は第１の見返しリング３３の外周側に配設する。また、太陽電池３２は第２の見返しリング３４の外周側に配設する。また、第１の見返しリング３３と第２の見返しリング３４との間に反射膜３３ｂを設けると共に、第２の見返しリング３４の下面にも反射膜３４ａを設ける。【選択図】    図２
2006184059.tif 000002
【特許請求の範囲】
【請求項１】
風防ガラスと文字板との間で、前記文字板の外周部に位置する見返しリングと、該見返しリングの外周に配設した太陽電池とを有する太陽電池付時計において、前記見返しリングは、一部に開口部を有する非透光性部材からなる第１の見返しリングと透光性部材からなる第２の見返しリングの複数の部材で構成され、前記第１の見返しリングの開口部は見返し面に設けられ、前記第２の見返しリングは前記第１の見返しリングの外周側に配設されていることを特徴とする太陽電池付時計。
【請求項２】
前記風防ガラスは前記見返しリングの上面側に載置されて時計ケースに固定されていることを特徴とする請求項１に記載の太陽電池付時計。
【請求項３】
前記第２の見返しリングはその上面側外周に突出部を有し、該突出部が前記風防ガラスを固定する前記時計ケースの上面突起部の下面に当接していることを特徴とする請求項１又は２に記載の太陽電池付時計。
【請求項４】
前記第２の見返しリングと前記第１の見返しリングの内の少なくとも第２の見返しリングは、前記風防ガラスを載置する風防ガラス受け面を有することを特徴とする請求項１乃至３のいずれか１項に記載の太陽電池付時計。
【請求項５】
前記第２の見返しリングは前記風防ガラスを載置する前記時計ケースの突出部の下面に当接していることを特徴とする請求項１又は２に記載の太陽電池付時計。
【請求項６】
前記第１の見返しリング及び前記第２の見返しリングは、中枠を介して固定された前記文字板上の外周部に載置固定されていることを特徴とする請求項１乃至５のいずれか１項に記載の太陽電池付時計。
【請求項７】
前記第１の見返しリングの材質は、金属、プラスチックもしくはセラミックであり、前記第２の見返しリングの材質は透光性樹脂であることを特徴とする請求項１乃至６いずれか１項に記載の太陽電池付時計。
【請求項８】
前記第２の見返しリングは、内面又は上面の少なくとも一面に透過性の被膜が施されていることを特徴とする請求項１乃至７のいずれか１項に記載の太陽電池付時計。
【請求項９】
前記第２の見返しリングは、透過性のカラー樹脂からなることを特徴とする請求項１乃至７のいずれか１項に記載の太陽電池付時計。
【請求項１０】
前記第１の見返しリングの上面が、前記第２の見返しリングの上面の一部を覆うように構成したことを特徴とする請求項１乃至９のいずれか１項に記載の太陽電池付時計。
【請求項１１】
前記第２の見返しリングの上面が、前記第１の見返しリングの上面の一部を覆うように構成したことを特徴とする請求項１乃至９のいずれか１項に記載の太陽電池付時計。
【請求項１２】
前記第１の見返しリングと前記第２の見返しリングとが、接着剤、粘着テープ又は一体成形により一体となっていることを特徴とする請求項１乃至１１のいずれか１項に記載の太陽電池付時計。
【請求項１３】
前記第１の見返しリングに設けられた開口部は、貫通孔からなり、該貫通孔が模様、数字、文字、マークの中の少なくとも１つからできていることを特徴とする請求項１乃至１２のいずれか１項に記載の太陽電池付時計。
【請求項１４】
前記第２の見返しリングの外周部に略リング状に太陽電池を配設すると共に、太陽電池の受光面が、前記文字板に対して、９０から１８０度の範囲の傾斜角で配設されていることを特徴とする請求項１乃至１３のいずれか１項に記載の太陽電池付時計。
【請求項１５】
前記太陽電池は、可撓性部材であることを特徴とする請求項１乃至１４のいずれか１項に記載の太陽電池付時計。
【請求項１６】
前記第２の見返しリングと前記太陽電池は、接着により接合したことを特徴とする請求項１乃至１５のいずれか１項に記載の太陽電池付時計。
【請求項１７】
前記第２の見返しリングと前記第１の見返しリングとの境界面、前記第２の見返しリングの底面のいずれか一方または両方に反射膜を形成したことを特徴とす
る請求項１乃至１６のいずれか１項に記載の太陽電池付時計。
【請求項１８】
前記第２の見返しリングに、蛍光材、光分散材、光反射材の少なくとも１つを混合したことを特徴とする請求項１乃至１１のいずれか１項に記載の太陽電池付時計。
【請求項１９】
前記第１の見返しリングと第２の見返しリングの間に、蛍光部材、光分散部材、光反射部材の少なくとも１つを配設したことを特徴とする請求項１乃至１８のいずれか１項に記載の太陽電池付時計。
【請求項２０】
前記複数の見返しリングは、３つの部材で構成され、文字板の中心から外縁部に向かって、第１の見返しリング、第２の見返しリング、第３の見返しリングの順に配設し、前記第２の見返しリングと前記第３の見返しリングの間に、太陽電池を介在させたことを特徴とする請求項１乃至１９のいずれか１項に記載の太陽電池付時計。
【請求項２１】
前記第３の見返しリングは、反射手段を有することを特徴とする請求項２０に記載の太陽電池付時計。
【請求項２２】
前記第３の見返しリングの反射手段は、金属表面であることを特徴とする請求項２１に記載の太陽電池付時計。
【請求項２３】
前記第３の見返しリングの反射手段は、第３の見返しリングの表面に設けた反射膜であることを特徴とする請求項２１又は請求項２２に記載の太陽電池付時計。
【発明の詳細な説明】
【技術分野】
【０００１】
本発明は、光エネルギーを電気エネルギーに変換して時計を駆動する太陽電池付時計に関するものである。
【背景技術】
【０００２】
従来の太陽電池付時計の一般的な構造は、多くの発電効率を得るために、文字板の裏面に太陽電池を配置していた。文字板は太陽光を透過させるため、少なくとも半透過性であることが必要であり、材料が限定されると同時に、文字板を通して太陽電池本来の濃紫色の色調が視認され、外観品質を損なうという問題があった。また、文字板の下に日板、曜板を配設するカレンダー時計においては、文字板と日板、曜板の間に太陽電池を配設するために曜、日の視認性も極めて悪く、発電効率への影響を考慮すると日窓、曜窓の位置に自由度がないものとなっていた。
【０００３】
しかし、これらの問題点に鑑みて成された太陽電池付時計の構造として、風防ガラスと文字板との間の隙間に、文字板の外周周縁に位置する見返しリングの外周部に直立したリング状の太陽電池を配設した構造のものが既に下記の特許文献１に開示されている。
【０００４】
【特許文献１】特開２００１−３０５２４９号公報
【０００５】
上記した特許文献１に開示された太陽電池付時計を図１４〜図１６を用いて簡単に説明する。ここで、図１４は上記の特許文献１に示された太陽電池付時計の平面図、図１５は図１４における太陽電池付時計の要部断面図、図１６は図１５におけるＡ部の拡大断面図を示している。図１４、図１５において、１は透明な風防ガラス、２はリング状の太陽電池、３は透光性の見返しリング、４は指針、５は文字板、５ａは文字板５に設けられた時字、６は指針を駆動するムーブメント、７は時計ケースを示している。
【０００６】
これから、風防ガラス１と文字板５との間の隙間で、文字板５の外周周縁に位置する透光性の見返しリング３の外周部に、文字板５に対して直立したリング状の太陽電池２を配設した構造を取っている。また、リング状の太陽電池２はその受光面が時計中心側に向かって配設されている。また、リング状の太陽電池２は、図１６より、フレキシブルプリント基板１０上にアルミニウム薄膜等からなる金属電極膜である第１の電極１１、アモルファスシリコン薄膜からなる光電変換層１２、ＩＴＯなどの透明導電膜である第２の電極１３、透明な保護膜１４を積層した構成になっている。
【０００７】
風防ガラス１を透過して見返しリング３を介して直接入射する光、文字板５の表面で反射を繰り返した光が見返しリング３を介して入射する光などを太陽電池２に導き、そこで得た光を光電変換し電流としてムーブメント内に配した二次電池に供給するようになっている。
【発明の開示】
【発明が解決しようとする課題】
【０００８】
上記のような構成を取る太陽電池付時計においては、文字板５は金属などを用いることができるので色々な装飾を施して外観的な装飾を高めることができる。しかしながら、見返しリングは、材質が透光性材料で構成されるために、太陽電池本来の濃紫色の色調が透視され、外観品質がどうしても損なわれてしまう。また同時に、見返しリングが透光性を持たせる理由で金属が使用できず、金属色の持つ重厚さや、高級感の表現が極めて困難であった。また、入射効率を上げるため、見返しリングに切分などのデザインができなくな
る等の問題があった。
【０００９】
本発明の目的は、上記の問題点を解決すると共に、従来から使用している金属材料からなる見返しリングと略同等の外観品質が得られ、且つ、デザインバリエーションの拡大が図れ、時計の駆動に必要な光を太陽電池に導くことのできる太陽電池付時計を提供することにある。
【課題を解決するための手段】
【００１０】
上記課題を解決するための手段として、本発明の請求項１に記載の太陽電池付時計は、風防ガラスと文字板との間で、文字板の外周部に位置する見返しリングと、この見返しリングの外周に配設した太陽電池とを有する太陽電池付時計において、前記見返しリングは、一部に開口部を有する非透光性部材からなる第１の見返しリングと透光性部材からなる第２の見返しリングの複数の部材で構成され、前記第１の見返しリングの開口部は見返し面に設けられ、前記第２の見返しリングは前記第１の見返しリングの外周側に配設されていることを特徴とするものである。
【００１１】
また、本発明の請求項２に記載の太陽電池付時計は、前記風防ガラスは前記見返しリングの上面側に載置されて時計ケースに固定されていることを特徴とするものである。
【００１２】
また、本発明の請求項３に記載の太陽電池付時計は、前記第２の見返しリングはその上面側外周に突出部を有し、この突出部が風防ガラスを固定する時計ケースの上面突起部の下面に当接していることを特徴とするものである。
【００１３】
また、本発明の請求項４に記載の太陽電池付時計は、前記第１の見返しリングと前記第２の見返しリングの内の少なくとも第２の見返しリングは、前記風防ガラスを載置する風防ガラス受け面を有することを特徴とするものである。
【００１４】
また、本発明の請求項５に記載の太陽電池付時計は、前記第２の見返しリングは、前記風防ガラスを載置する前記時計ケースの突出部の下面に当接していることを特徴とするものである。
【００１５】
また、本発明の請求項６に記載の太陽電池付時計は、前記第１の見返しリング及び第２の見返しリングは、中枠を介して固定された文字板上の外周部に載置固定されていることを特徴とするものである。
【００１６】
また、本発明の請求項７に記載の太陽電池付時計は、前記第１の見返しリングの材質は、金属、プラスチックもしくはセラミックであり、第２の見返しリングの材質は透光性樹脂であることを特徴とするものである。
【００１７】
また、本発明の請求項８に記載の太陽電池付時計は、前記第２の見返しリングは、内面または上面の少なくとも一面に透過性の被膜が施されていることを特徴とするものである。
【００１８】
また、本発明の請求項９に記載の太陽電池付時計は、前記第２の見返しリングは、透過性のカラー樹脂からなることを特徴とするものである。
【００１９】
また、本発明の請求項１０に記載の太陽電池付時計は、前記第１の見返しリングの上面が、前記第２の見返しリングの上面の一部を覆うように構成したことを特徴とするものである。
【００２０】
また、本発明の請求項１１に記載の太陽電池付時計は、前記第２の見返しリングの上面が、前記第１の見返しリングの上面の一部を覆うように構成したことを特徴とするものである。
【００２１】
また、本発明の請求項１２に記載の太陽電池付時計は、前記第１の見返しリングと前記第２の見返しリングとが、接着剤、粘着テープまたは一体成形により一体となっていることを特徴とするものである。
【００２２】
また、本発明の請求項１３に記載の太陽電池付時計は、前記第１の見返しリングに設けられた開口部は、貫通孔からなり、この貫通孔が模様、数字、文字、マークの中の少なくとも１つからできていることを特徴とするものである。
【００２３】
また、本発明の請求項１４に記載の太陽電池付時計は、前記第２の見返しリングの外周部に略リング状に太陽電池を配設すると共に、太陽電池の受光面が、前記文字板に対して、９０から１８０度の範囲の傾斜角で配設されていることを特徴とするものである。
【００２４】
また、本発明の請求項１５に記載の太陽電池付時計は、前記太陽電池は、可撓性部材であることを特徴とするものである。
【００２５】
また、本発明の請求項１６に記載の太陽電池付時計は、前記第２の見返しリングと太陽電池は、接着により接合したことを特徴とするものである。
【００２６】
また、本発明の請求項１７に記載の太陽電池付時計は、前記第２の見返しリングと前記第１の見返しリングとの境界面、前記第２の見返しリングの底面のいずれか一方または両方に反射膜を形成したことを特徴とするものである。
【００２７】
また、本発明の請求項１８に記載の太陽電池付時計は、前記第２の見返しリングに、蛍光材、光分散材、光反射材の少なくとも１つを混合したことを特徴とするものである。
【００２８】
また、本発明の請求項１９に記載の太陽電池付時計は、前記第１の見返しリングと前記第２の見返しリングの間に、蛍光部材、光分散部材、光反射部材の少なくとも１つを配設したことを特徴とするものである。
【００２９】
また、本発明の請求項２０に記載の太陽電池付時計は、前記複数の見返しリングは、３つの部材で構成され、文字板の中心から外縁部に向かって、第１の見返しリング、第２の見返しリング、第３の見返しリングの順に配設し、第２の見返しリングと第３の見返しリングの間に、太陽電池を介在させたことを特徴とするものである。
【００３０】
また、本発明の請求項２１に記載の太陽電池付時計は、前記第３の見返しリングは反射手段を有することを特徴とするものである。
【００３１】
また、本発明の請求項２２に記載の太陽電池付時計は、前記第３の見返しリングの反射手段は、金属表面であることを特徴とするものである。
【００３２】
また、本発明の請求項２３に記載の太陽電池付時計は、前記第３の見返しリングの反射手段は、第３の見返しリングの表面に設けた反射膜であることを特徴とするものである。
【発明の効果】
【００３３】
本発明の効果として、本発明の請求項１に記載の発明の下では、見返しリングを一部に開口部を有する非透光性部材からなる第１の見返しリングと透光性部材からなる第２の見
返しリングの複数の部材で構成している。これにより、第１の見返しリングに、請求項７に記載の如く、金属などの材料が使用できて文字板と同じような加工と装飾が施せるので、文字板と同等の外観仕上がりを得ることができ、文字板と一体となった装飾ある太陽電池付時計が得られる。また、第１の見返しリングに設けた開口部より採光して太陽電池に発電作用を起こさせることができると共に、開口部を、請求項１３に記載の如く、模様や数字、文字、マークなどにより形成することにより装飾が施されてデザインバリエーションの拡大も図ることができる。更に、請求項８、９に記載の如く、第２の見返しリングの内面に透過性の被膜を施したり、第２の見返しリングをカラー樹脂で形成したりすることにより開口部からその色が見え、装飾性を一層高めることができる。
【００３４】
また、本発明の請求項２、３、４に記載の発明の下では、第１の見返しリングの開口部のみならず、風防ガラスを介して第２の見返しリングからも光を採光することができる。よって、採光量が増えると共に、女持ち時計のように小型で見返しリングが小さいときには有効に作用する。
【００３５】
このような構成を取ることにより、太陽電池は非透光性部材からなる第１の見返しリングの裏に隠れたようになり、太陽電池独特の色調は見えなくなる。
【００３６】
また、第１の見返しリング並びに第２の見返しリングは、請求項２、３、５、６に記載の発明の下で、文字板、風防ガラス、時計ケースなどで固定されて容易に動くことがない。
【００３７】
また、本発明の請求項１０、及び請求項１１に記載の発明の下では、デザイン的な変化が生まれる。デザインバリエーションを増やす効果を生む。
【００３８】
また、本発明の請求項１２に記載の発明の下では、第１の見返しリングと第２の見返しリングが一体となっているので、組立、持ち運び等に効率の良い作業ができる。
【００３９】
また、本発明の請求項１４に記載の発明の下では、太陽電池の受光面が文字板面に対して９０〜１８０度の範囲で傾斜している。このことは、風防ガラス面に向かって傾斜して配設されている。これにより、風防ガラス方向からの直接入射光を第１の見返しリングの開口部、更には第２の見返しリングを介して入射光量を多く採光することができる。
【００４０】
また、本発明の請求項１５に記載の発明の下では、平面形状で形成した太陽電池を立体形状に変形させることができ、前述の請求項１４に記載の如く角度を持たせた配設も可能となる。また、請求項１４、１５に記載の発明の下では、太陽電池を文字板上面外縁部に設ける構造を取るので、日・曜日を表示する時計にあっては文字板の直ぐ下面にそれらの機構を配設することができ、その視認性も高められる。
【００４１】
また、本発明の請求項１６に記載の発明の下では、第２の見返しリングと太陽電池は接着によって固定されるので、太陽電池が振動などによって移動することがなくなり、安定した位置状態で保持される。このことは、絶えず一定の安定した光電変換が得られることになり、変換効率を一定の状態に保持することになる。
【００４２】
また、本発明の請求項１７に記載の発明の下では、反射膜を設けることで、太陽電池以外の部品での吸収光や逃げる光などが少なくなり、多くの光量を太陽電池に照射することができる。
【００４３】
また、本発明の請求項１８並びに請求項１９に記載の発明の下では、蛍光材は外光の光を受けて発光するので、その発光した光が太陽電池に照射するので外光以外の光も得られ
る。また、光分散材で光を分散させることによって、逃げる光や太陽電池以外の部品での吸収光を少なくする。それだけ多くの光量が太陽電池に照射する。光反射部材も同様な効果を得る。また、請求項１９に記載の如く、蛍光部材や光分散部材、光反射部材を第１の見返しリングと第２の見返しリングの間に設けることによっても同様な効果を得る。
【００４４】
また、請求項２０に記載の如く、第３の見返しリングを設け、第２の見返しリングと第３の見返しリングの間に太陽電池を配設し、そして、請求項２１記載の如く、第３の見返しリングに反射手段を持たせれば、太陽電池の裏側に逃げた光などもその反射手段によって太陽電池の受光面側に再帰させることができる。従って、光の利用効率を高める効果を得る。
【００４５】
そして、第３の見返しリングとして、請求項２２に記載の如く、反射率の高い金属を用いると反射効率を非常に高めることができる。また、請求項２３に記載の如く、反射率の高い反射膜を用いると、金属を用いるより安いコストで形成できるメリットがある。
【００４６】
以上述べたことにより、太陽電池本来の濃紫色の色調が透視されないで、光の入射効率を上げ発電効率をアップし、デザインバリエーションも豊富に得られると共に、そのデザイン性に優れた太陽電池付時計を提供することができる。更にまた、太陽電池を文字板上面外縁部に配設したことで、日・曜日を表示する時計にあっては文字板の直ぐ下面にそれらの機構を配設することができ、その視認性も高められる。
【発明を実施するための最良の形態】
【００４７】
以下、本発明を実施するための最良の形態を図１、図２、図３をもって説明する。ここで、図１は本発明の実施形態に係る太陽電池付時計の要部断面図、図２は図１におけるＢ部の拡大図、図３は図１おける第１の見返しリングと第２の見返しリングの斜視図を示している。尚、図１は本発明の太陽電池付時計の構成が良く分かるようにするために風防ガラスと文字板との隙間を大きく取って少し誇張して描いてある。
【００４８】
本発明の実施形態に係る太陽電池付時計２０は、図１に示すように、時計ケース２７の内部に文字板２５、ムーブメント２６が中枠２９を介して固定されている。また、文字板２５の外周周縁には、内側から非透過性の第１の見返しリング３３、次に、透過性の第２の見返しリング３４、そして、この第２の見返しリングの外側に太陽電池３２が設けられている。そして、これらの構成部品を封止するようにして表面側に風防ガラス２１が防水パッキン２２を介して時計ケース２７に取り付けられ、裏面側に裏蓋２８が時計ケース２７に取れ付けられた構成になっている。また、文字板２５の上面側にはムーブメント２６から突出した指針軸に時針や分針などの指針２４が取り付いた構成になっている。ここで、第１の見返しリング３３、第２の見返しリング３４及び太陽電池３２の取付け構造については図２を用いて詳しく説明する。尚、図示はしていないが、文字板２５は金属で形成されていて、上面側には模様や表面処理などが施されて時字などの指標が設けられたものとなっている。
【００４９】
図２より、本発明の見返しリングは２つの部材からなっていて、金属からなり一部分に開口部３３ａを持つ第１の見返しリング３３と、透明なプラスチックからなる第２の見返しリング３４とを接着剤などを介して接合したものからなっている。この開口部３３ａは貫通孔からできている。そして、透明な第２の見返しリング３４の外側に太陽電池３２を配設した構造を取っている。この第１の見返しリング３３、第２の見返しリング３４、及び太陽電池３２は文字板２５と時計ケース２７に設けられている突出部２７ａとの間に挟まれて、内側から第１の見返しリング３３、次に、第２の見返しリング３４、そして、この第２の見返しリング３４の外側に太陽電池３２を文字板２５の外周周縁に配設した構造を取っている。時計ケース２７の突出部２７ａは防水パッキン２２を介して時計ケース２
７に固定した風防ガラス２１の受け面とするために設けている。尚、図２の中では示していないが、文字板２５、太陽電池３２は中枠２９を介して時計ケース２７に固定された状態になっている（図１参照）。
【００５０】
金属からなる第１の見返しリング３３は、５０〜３００μｍ厚みの黄銅板やステンレス板、洋白板などを用いて、板材の表面にプレス抜き、エッチングなどにより開口部３３ａを設け、その後にプレス加工方法などで傾斜を持った逆円錐形状に形成し、その見返し面３３ｃに梨地模様や筋目模様などの各種模様やメッキ、塗装などの表面処理を施して文字板２５の装飾と同質感を感じさせる装飾に仕上げている。また、図３に示すように、第１の見返しリング３３は見返し面３３ｃの一周の部分に、５、１０、１５、・・・５５、６０なる数字からなる開口部３３ａ１と、各数字からなる開口部３３ａ１のそれぞれの間に設けた４つのマークからなる開口部３３ａ２を設けていて、一周に渡って、数字からなる複数の開口部３３ａ１とマークからなる複数の開口部３３ａ２とから構成された開口部３３ａを設けている。そして、この複数の開口部３３ａは貫通孔をなしており、時計の切分目盛りを表している。これら見返し面３３ｃ一周に渡って設ける複数の開口部３３ａはプレス加工などによって形成することができる。また、開口部３３ａが数字の０、６などの場合、島となる部分が脱落しないように数カ所ブリッジを設けるようにする。また、この第１の見返しリング３３は電鋳法で作ることも可能である。この第１の見返しリング３３は開口部３３ａの所は光を透過し、それ以外の所は光を透過しない。更に、この第１の見返しリング３３の外周面には反射膜３３ｂを設けている。この反射膜３３ｂは反射率の高い金属膜や塗料膜などが効果的に用いられる。例えば、アルミニウム、クロム、パラジウム、ロジウム、銀、プラチナ、金などの可視光域での光に対して反射率の高い金属膜や白色塗料膜などが反射膜として効果的に使用することができる。尚、第１の見返しリング３３の最表面の仕上げ膜がアルミニウム、クロム、パラジウム、ロジウム、銀、プラチナ、金などの金属膜であるならばそれをそのまま反射膜として用いて、反射膜３３ｂを省くことができる。また、この第１の見返しリング３３は本実施形態では金属板を用いて形成している。金属板であると、種々の機械加工が容易であること、また、模様付けやメッキ、塗装などの表面処理が行えること、などによって色々な装飾バリエーションが設けられること、そして、コスト的に安くできること、また、非透光性であることから太陽電池を見えないようにするのに効果的であると云うメリットがある。しかしながら、本発明においては特に金属に限定するものではない。非透光性の部材で表面処理などを施したものであっても良く、例えば、透光性を有しないセラミック材やプラスチック材などを用いて成型方法で形成しても良い。また、メッキや塗装などの表面処理によって透光性を有しない部材に仕立てて用いても良い。この第１の見返しリング３３は文字板２５と同等な質感を得るためとソーラセルの色調が視認できないようにするために設けている。
【００５１】
第１の見返しリング３３に設ける開口部３３ａは光を採光するために設けている。開口部３３ａの大きさは特に限定するものではないが、開口部３３ａから採光した光で太陽電池３２に所要の発電量を起こさせる。このため開口部３３ａの総面積に一定の面積を必要とする。近年の太陽電池は変換効率が非常に良くなり、１５％の光量で十分満足な発電量が得られるのが現れてきている。このことから、開口部３３ａの総面積が少なくとも１５％の光量が得られる面積を確保している。また、本実施形態における開口部３３ａは切分目盛りを表すために数字からなる複数の開口部３３ａ１とマークからなる複数の開口部３３ａ２とで構成した。しかしながら、特に数字やマークなどに限定するものではなく、文字や模様などを用いたものでも良く、また、これらを組み合わせて開口部を構成しても良い。
【００５２】
透明なプラスチックからなる第２の見返しリング３４はポリカーボネイト、ポリエーテルサルフォン、環状非昌質ポリオレフィン、アクリルなどの透明な樹脂からなっている。内周面は傾斜した面をなしていて、第１の見返しリング３３の外周面と同一形状に形成し
てある。この第２の見返しリング３４の下面には反射膜３４ａが設けられている。この反射膜３４ａは反射率の高い金属膜や塗料膜などが用いられる。例えば、アルミニウム、クロム、パラジウム、ロジウム、銀、プラチナ、金などの可視光域での光に対して反射率の高い金属膜や白色塗料膜などが反射膜として使用することができる。尚、文字板２５の最表面の仕上げ膜がアルミニウム、クロム、パラジウム、ロジウム、銀、プラチナ、金などの金属膜であるならばそれをそのまま反射膜として用いることができる。そして、反射膜３４ａを省くことができる。また、この第２の見返しリング３４は本実施形態では透明な樹脂で形成したが、カラー着色のある透過性を持つプラスチックで形成しても良い。第２の見返しリング３４にカラー着色が施されていると、第１の見返しリング３３の開口部３３ａからそのカラー色が見える。見返しリングの装飾機能も果たしてその質感を高めることができる。カラー色は見返しリング３３の装飾を見て適宜に選定すると良い。また、第２の見返しリング３４のカラー色によって太陽電池の濃紫色色調を和らげて尚一層見え難くなる。
【００５３】
本発明の見返しリングは第１の見返しリング３３と第２の見返しリング３４との２つの部材から構成し、それを接着剤によって接合している。これにより、第１の見返しリング３３に設けた反射膜３３ｂは第２の見返しリング３４との境界面に位置することになり、第２の見返しリング３４から戻ってくる光をこの反射膜３３ｂで再度第２の見返しリング３４側に反射させる働きをさせている。反射膜３３ｂは、本実施形態においては、第１の見返しリング３３側に一体的に設けたが、第２の見返しリング３４側に設けても良く、また、第１の見返しリング３３と第２の見返しリング３４との間に別体で、例えば、開口部３３ａと同一形状、同一大きさの開口部を設けた反射シートを設けても良いものである。反射膜の形成は開口部３３ａを設けた第１の見返しリング３３側に一体的に形成する方が精度良く、コスト的に安くできる。第１の見返しリング３３と第２の見返しリング３４とを接合する接着剤は、熱硬化型の接着剤や紫外線硬化型の接着剤などのものが使用できる。また、粘着テープを用いて接合を図っても良い。また、第１の見返しリング３３と第２の見返しリング３４との接合は部分的な接着接合でも時計機能上何ら支障は生じない。また、一体成形の成形機を用いて一体成形で形成しても良い。
【００５４】
太陽電池３２はフレキシブルプリント基板上にアルミニウム薄膜等からなる金属電極膜である第１の電極、アモルファスシリコン薄膜からなる光電変換層、ＩＴＯなどの透明導電膜である第２の電極、透明な保護膜を積層した構成を取り、１００〜１５０μｍの厚みに形成している。従って、薄いが故に可撓性を持っていて、平面状に形成したものを湾曲させて筒状に成形することができる。この湾曲して筒状に形成した太陽電池３２を第２の見返しリング３４の外側に、その受光面３２ａが文字板２５に対して直角になるようにして配設する。そして、その受光面３２ａと第２の見返しリング３４の外周面３４ｂとを向き合わせて熱硬化型の接着剤などで接合する。
【００５５】
第２の見返しリング３４と太陽電池３２を接着することで、接着しない場合と比較して、発電効率が相当向上することが確認されている。接着剤は熱硬化型に限るものではなく、例えば紫外線硬化型のものなどを使用しても同じ効果が得られるので特に接着剤の種類に限定はない。また、粘着剤を使用しても良いことは言うまでもない。しかしながら、使用する接着剤や粘着剤は光学的劣化の少ないものが望ましい。また、第２の見返しリング３４と太陽電池３２の接着は部分的な接着のみでも時計を携帯する上での発電効率には何ら問題ない。
【００５６】
上記の構成を取る太陽電池付時計２０は、風防ガラス２１を通して第１の見返しリング３３の開口部３３ａより入射する光Ｌ１、Ｌ２を利用して太陽電池３２に発電機能を起こさせる。開口部３３ａから入射した光で直接太陽電池３２の受光面３２ａに入射する光Ｌ１や第２の見返しリング３４の下面に設けた反射膜３４ａで反射されて太陽電池３２の受
光面３２ａに入射する光Ｌ２の光、更には、第１の見返しリング３３の反射膜３３ｂによって反射されて太陽電池３２の受光面３２ａに入射する光などでもって発電がなされる。第１の見返しリング３３の開口部３３ａから第２の見返しリング３４に入射した光は、第１の見返しリング３３の外周面に設けた反射膜３３ｂや第２の見返しリング３４の下面に設けた反射膜３４ａの作用を受けて、その大半の光が太陽電池３２の受光面３２ａに入射する。そして、開口部３３ａからの入射光を効率良く利用して太陽電池３２に発電作用を起こさせる。また、太陽電池３２は第１の見返しリング３３によって隠されて太陽電池３２の濃紫色色調は殆ど視認されない。
【００５７】
また、上記の構成を取る太陽電池付時計２０は、文字板２５と併せて第１の見返しリング３３を金属で形成している。金属で形成した第１の見返しリング３３は見返し面３３ｃに各種の模様加工やメッキ、塗装などの表面処理を施すことができる。色々な装飾を施して文字板２５と同質感を持たせた高級感のある時計に仕立てることができる。また、第１の見返しリング３３の開口部３３ａから見える第２の見返しリング３４に第１の見返しリング３３の装飾と調和するようなカラー色を施すことによって同質感の現れた見返しリングが得られる。また更に、第１の見返しリング３３の開口部３３ａの形状を切分目盛りを表すデザイン形状のみならず、他のデザイン形状も可能であることから、色々なデザインを形取ることができ、デザインバリエーションを豊富にすることができる。また、日・曜日付の時計にあっては、文字板２５のすぐ下に日板、曜板を配設する構造を取ることができるため、日・曜日の視認性も格段と向上させることができる。
【００５８】
以下、本発明の太陽電池付時計の実施例を説明するが、以降の実施例説明は、太陽電池付時計の構成で本発明の論主とする構成の部分のみを取り上げて説明することにする。
【実施例１】
【００５９】
最初に、本発明の実施例１に係る太陽電池付時計について図４を用いて説明する。図４は本発明の実施例１に係る太陽電池付時計の要部断面図を示している。本実施例１の見返しリングは、金属からなって一部分に開口部４３ａを持つ第１の見返しリング４３と、光分散材４５を分散した透明なプラスチックからなる第２の見返しリング４４との２つの部材を接着剤などを介して接合したものからなっている。そして、透明な第２の見返しリング４４の外側に太陽電池３２を配設し、内側から第１の見返しリング４３、第２の見返しリング４４、太陽電池３２を順次並べて文字板２５の外周周縁に配設した構造を取っている。また、この第１の見返しリング４３、第２の見返しリング４４、及び太陽電池３２は文字板２５と時計ケース４７に設けられている風防ガラス２１の受け面となる突出部４７ａとの間に挟さまれて固定される構造を取っている。
【００６０】
金属からなる第１の見返しリング４３は、５０〜３００μｍ厚みの黄銅板やステンレス板などを用いてプレス加工方法などで傾斜を持った逆円錐形状に形成し、その見返し面４３ｃに梨地模様や筋目模様などの各種模様やメッキ、塗装などの表面処理を施して文字板２５の装飾と同一質感を感じさせる表面に仕上げている。また、第１の見返しリング４３は見返し面４３ｃを成した一周の部分に、前述の図３をもって説明した実施形態と同じ形状で（図３参照）数字とマークの形状での複数の開口部４３ａを一周に渡って設けていて、その開口部４３ａの形状で切分目盛りを表示している。また、この第１の見返しリング４３の外周面には白色塗料を用いての反射膜４３ｂを設けている。この反射膜４３ｂは反射率の高いものであれば良いので白色塗料膜に限定するものではなく、例えば、第１の見返しリング４３の仕上げメッキ金属が銀、クロム、パラジウム、ロジウム、プラチナ、金などの可視光域の光に対して反射率の高い金属であるならばそれをそのまま反射膜として用いても良く、また、新たにアルミニウム、クロム、パラジウム、ロジウム、銀、プラチナ、金などの金属膜を設けて反射膜としても良い。ここで、第１の見返しリング４３に設けている複数の開口部４３ａは、その開口部４３ａの大きさを特に限定するものではない
が、その開口部４３ａの総面積は太陽電池３２に所要の発電量が得られるのに充分な光量が得られる面積をなしている。近年の太陽電池は変換効率が非常に良くなり、１５％の光量で十分満足な発電量が得られるのが現れてきている。このことから、開口部４３ａの総面積が少なくとも１５％の光量が得られる面積を確保している。
【００６１】
第２の見返しリング４４はポリカーボネイト、ポリエーテルサルフォン、環状非昌質ポリオレフィン、アクリルなどの透明な樹脂の中に光分散材４５を混ぜ合わせたものからなっている。内周面は傾斜した面をなしていて、第１の見返しリング４３の外周面と同一形状に形成してある。光分散材４５としては、本実施例１では酸化シリコン粉末を用いているが、酸化シリコン粉末に限らず炭酸カルシウム粉末、リン酸カルシウム粉末、チタン酸バリウム粉末などの光分散材を用いることができる。この光分散材４５を樹脂の中に配合してペレット化し、射出成形機を用いて射出成形方法で形成する。尚、本実施例１においては、第２の見返しリング４４は樹脂の中に光分散材４５を分散したものからなっているが、光分散材４５に代えて酸化チタン粉末や酸化亜鉛粉末などの光反射材を用いることもできる。光反射材は反射と分散作用をもたらすので同様な効果を得ることができる。更に、第２の見返しリング４４の下面には白色塗料で形成した反射膜４４ａを設けている。この反射膜は白色塗料に限定するものではなく、例えば、アルミニウム、クロム、パラジウム、ロジウム、銀、プラチナ、金などの可視光域での光に対して反射率の高い金属膜を用いても良い。金属膜を設ける方法としては真空蒸着法、スパッタリング法などの乾式メッキ法を用いて形成する。尚、文字板２５の最表面の仕上げ膜がアルミニウム、クロム、パラジウム、ロジウム、銀、プラチナ、金などの金属膜であるならばそれをそのまま反射膜として用いることができ、そして、反射膜４４ａを省くことができる。
【００６２】
以上の構成を取る第１の見返しリング４３と第２の見返しリング４４とを接着剤を介して接合する。これにより、第１の見返しリング４３に設けた反射膜４３ｂは第２の見返しリング４４との境界面に位置して、第２の見返しリング４４から戻ってくる光をこの反射膜４３ｂで再度第２の見返しリング４４側に反射させる働きをする。反射膜４３ｂは、本実施例１においては、第１の見返しリング４３側に一体的に設けたが、第２の見返しリング４４側に設けても良く、また、第１の見返しリング４３と第２の見返しリング４４との間に別体で、例えば、開口部４３ａと同一形状、同一大きさの開口部を設けた反射シートを設けても良いものである。反射膜の形成は開口部４３ａを設けた第１の見返しリング４３側に一体的に形成する方が精度良く出来上がり、しかも、コスト的に安くできる。第１の見返しリング４３と第２の見返しリング４４とを接合する接着剤としては熱硬化型の接着剤や紫外線硬化型の接着剤などのものが使用でき、また、粘着テープを用いて接合を図っても良い。また、第１の見返しリング４３と第２の見返しリング４４との接合は部分的な接着接合でも時計機能上何ら支障は生じない。
【００６３】
太陽電池３２は、フレキシブルプリント基板上にアルミニウム薄膜等からなる金属電極膜である第１の電極、アモルファスシリコン薄膜からなる光電変換層、ＩＴＯなどの透明導電膜である第２の電極、透明な保護膜を積層して１００〜１５０μｍの厚みに形成されたものを用い、湾曲させて筒状に成形したものを用いている。太陽電池３２の受光面３２ａを第２の見返しリング４４の外周面４４ｂに対面させて熱硬化型の接着剤を介して第２の見返しリング４４と接合している。
【００６４】
この太陽電池３２を第２の見返しリング４４と接着することで、接着しない場合と比較して発電効率が相当向上することが確認されている。接着剤は熱硬化型に限るものではなく、紫外線硬化型の接着剤や粘着剤を使用しても良いことは言うまでもない。また、第２の見返しリング４４と太陽電池３２の接着は部分的な接着のみでも時計を携帯する上での発電効率には何ら問題ない。
【００６５】
上記の構成を取る太陽電池付時計は、風防ガラス２１を通して第１の見返しリング４３の開口部４３ａより入射する光を利用して太陽電池３２に発電機能を起こさせる。第１の見返しリング４３の開口部４３ａから第２の見返しリング４４に入射した光は、第２の見返しリング４４に分散させた分散材４５によって光散乱作用を起こし、散乱した光が第１の見返しリング４３の反射膜４３ｂや第２の見返しリング４４の反射膜４４ａなどによって反射されて太陽電池３２の受光面３２ａに入射する。散乱した多くの光量が太陽電池３２の受光面３２ａに入射することから開口部４３ａから入射光をムダなく効率的に利用して太陽電池３２の発電効率を高める効果を生む。尚、分散材４５に代えて光反射材を用いても、光反射と光分散が発生するので同様な効果が得られる。光反射材としては酸化チタン粉末や酸化亜鉛粉末などを挙げることができる。また、本実施例１においては、第１の見返しリング４３の反射膜４３ｂと第２の見返しリング４４の反射膜４４ａは白色塗料膜でもって形成した。この反射膜は高反射率の金属膜でも良いことは既に述べた通りであるが、この白色塗料膜や金属膜に代えて光分散材や光反射材を分散した塗料膜を用いても光反射作用が生まれ反射効果が現れる。従って、光分散材や光反射材を分散した塗料膜を反射膜として使用しても良い。光分散材や光反射材は光を散乱させる働きと光を反射させる働きの両方の働きを持っている。
【００６６】
また、太陽電池３２は金属からできた非透過性の第１の見返しリング４３によって隠れてしまう。また、開口部４３ａの見える所であっても、太陽電池３２からの反射光が分散材４５によって散乱してしまうのでうので太陽電池３２の濃紫色色調は視認されない。
【００６７】
また、上記の構成を取る太陽電池付時計は、文字板２５と併せて第１の見返しリング４３を金属で形成している。金属で形成した第１の見返しリング４３はその見返し面４３ｃに各種の模様加工や各種の表面処理を施すことができる。色々な装飾を施して文字板２５と同質感を持たせた高級感のある時計に仕立てることができる。また、第１の見返しリング４３の開口部４３ａの形状を切分目盛りを表すデザイン形状のみならず、他のデザイン形状で設けることも可能であることから、色々なデザインを形取ることができ、デザインバリエーションを豊富にすることができる。
【実施例２】
【００６８】
次に、本発明の実施例２に係る太陽電池付時計を図５を用いて説明する。図５は本発明の実施例２に係る太陽電池付時計の要部断面図を示している。本発明の実施例２に係る太陽電池付時計の見返しリング周辺の構造は、図５に示すように、文字板２５の外周周縁に、内側から、金属からなって複数の開口部５３ａを持つ第１の見返しリング５３、次に、カラー着色を施して透過性を有する第２の見返しリング５４、そして、この第２の見返しリング５４の外側に太陽電池３２を配設した構造を取っている。また、第２の見返しリング５４は、その上面５４ｃ側には外側に向かって突出した突出部５４ｆが設けられており、この突出部５４ｆの先端側が時計ケース５７の上面突起部５７ａの下面に当接している。時計ケース５７の上面突起部５７ａは防水パッキン２２を介して風防ガラス２１を固定するようになっている。そして、第２の見返しリング５４の上面５４ｃは、風防ガラス２１や防水パッキン２２を載置する受け面にもなっていると共に、光を採光する採光面になっている。
【００６９】
本実施例２の見返しリングは第１の見返しリング５３と第２の見返しリング５４とを接着剤を介して接合した構成を取る。金属からなる第１の見返しリング５３は、前述の実施例１と同様に、黄銅板やステンレス板などを用いてプレス加工方法などで傾斜を持った逆円錐形状に形成し、その傾斜を持った見返し面５３ｃに梨地模様や筋目模様などの各種の模様やメッキ、塗装などの表面処理を施して文字板２５の装飾と同一質感を感じさせる表面に仕上げている。また、第１の見返しリング５３は見返し面５３ｃを成した一周の部分に、前述の図３をもって説明した実施形態と同じ形状で（図３参照）数字とマークの形状
での複数の開口部５３ａを一周に渡って設けていて、その開口部５３ａの形状で切分目盛りを表示している。また、この第１の見返しリング５３の外周面には銀メッキによる銀金属の反射膜５３ｂを設けている。この反射膜５３ｂは反射率の高いものであれば良いので、銀金属の他にアルミニウム、クロム、パラジウム、ロジウム、プラチナ、金などの可視光域の光に対して反射率の高い金属などを用いて形成しても良い。また、白色塗料膜を設けて反射膜としても良いものである。
【００７０】
第２の見返しリング５４はポリカーボネイト、ポリエーテルサルフォン、環状非昌質ポリオレフィン、アクリルなどの透明な樹脂の中にカラー顔料を混ぜ合わせてカラー色調を持たせたものからなっていて透過性を持っている。内周面は傾斜した面をなしていて、第１の見返しリング５３の外周面と同一形状に形成してある。また、第２の見返しリング５４の下面には銀蒸着膜からなる反射膜５４ａを設けている。この反射膜５４ａは光を反射させる目的で設けるものであるので、銀蒸着膜に限るものではなく、例えば、アルミニウム、クロム、パラジウム、ロジウム、プラチナ、金などの可視光域での光に対して反射率の高い金属の蒸着膜を用いても良い。また、白色塗料膜を設けて反射膜としても良い。ここで、第２の見返しリング５４の上面５４ｃは風防ガラス２１の風防ガラス受け面をなしている。風防ガラス２１を通して第２の見返しリング５４がリング状に見えてくる。そして、このリング状の幅が大きな幅になってくると目立って見えてくる。従って、目立たなくするために風防ガラス２１の風防ガラス受け面の幅を２ｍｍ以下に押さえることが望ましい。２ｍｍ以下の下では、第２の見返しリング５４のカラー色を第１の見返しリング５３の装飾と調和するようなカラー色を選択することによって第２の見返しリング５４の存在が殆ど目立たなくなる。
【００７１】
太陽電池３２は前述の実施例１と同じ仕様で湾曲させて筒状に成形したものを用いている。太陽電池３２の受光面３２ａを第２の見返しリング５４の外周面５４ｂに対面させて熱硬化型の接着剤を介して第２の見返しリング５４と接合している。
【００７２】
上記の構成を取る第１の見返しリング５３と第２の見返しリング５４と太陽電池３２とが接着剤によって一体化され、文字板２５の外周周縁に配設される。そして、中枠（図５に図示はしていない）を介して文字板２５を時計ケース５７内で上方に押しつけることによって、第２の見返しリング５４に設けた突出部５４ｆが時計ケース５７の上面突起部５７ａの下面に当接して第１の見返しリング５３、第２の見返しリング５４、太陽電池３２が固定される構造になっている。
【００７３】
上記の構成を取る太陽電池付時計は、第１の見返しリング５３の開口部５３ａから光Ｌ１、Ｌ２が第２の見返しリング５４に入り、また、第２の見返しリング５４の上面５４ｃからも光Ｌ３が直接入ってくる。これらの光が第１の見返しリング５３の反射膜５３ｂや第２の見返しリング５４の反射膜５４ａなどの反射作用も受けて太陽電池３２の受光面３２ａに入射する。これにより、第１の見返しリング５３の開口部５３ａと第２の見返しリング５４の上面５４ｃとから採光するので太陽電池３２への受光量を増やすことができ、十分な発電が行われる。女持ちの太陽電池付時計にあっては見返しリングも小さく、また、開口部も大きく取れない。このように、第１の見返しリング５３の開口部５３ａと第２の見返しリング５４の上面５４ｃとの両方から採光することで効果的に太陽電池付時計としての機能を果たすことができる。また、太陽電池３２は金属から形成された第１の見返しリング５３や時計ケース５７の上面突起部５７ａから隠れた位置に配されることや、第２の見返しリング５４にカラー着色が施されていることから太陽電池３２の濃紫色は殆ど視認されない。
【００７４】
また、上記の構成を取る太陽電池付時計は、文字板２５と併せて第１の見返しリング５３を金属で形成している。第１の見返しリング５３はその見返し面５３ｃに各種の模様加
工や各種の表面処理を施すことができるので、色々な装飾を施して文字板２５と同質感を持たせた高級感のある時計に仕立てることができる。また、第１の見返しリング５３の開口部５３ａから第２の見返しリング５４のカラー色が見える。カラー色を第１の見返しリング５３の装飾と調和するようなカラー色を用いることで装飾性を更に豊かにすることができる。また、第１の見返しリング５３の開口部５３ａの形状を切分目盛りを表すデザイン形状のみならず、他のデザイン形状を設けることも可能であることから、色々なデザインを形取ることができ、デザインバリエーションを豊富にすることができる。
【実施例３】
【００７５】
次に、本発明の実施例３に係る太陽電池付時計を図６を用いて説明する。図６は本発明の実施例３に係る太陽電池付時計の要部断面図を示している。本発明の実施例３に係る太陽電池付時計の見返しリング周辺の構造は、図６に示すように、文字板２５の外周周縁に、内側から、金属からなって複数の開口部６３ａを持つ第１の見返しリング６３、次に、蛍光材６５を分散して透過性を有する第２の見返しリング６４、そして、この第２の見返しリング６４の外側に太陽電池３２を配設した構造を取っている。また、第２の見返しリング６４は、その上面６４ｃ側には外側に向かって突出した突出部６４ｆが設けられており、この突出部６４ｆの先端側が時計ケース５７の上面突起部５７ａの下面に当接している。時計ケース５７の上面突起部５７ａは防水パッキン２２を介して風防ガラス２１を固定するようになっている。そして、第２の見返しリング６４の上面６４ｃは、風防ガラス２１や防水パッキン２２を載置する受け面にもなっていると共に、光を採光する採光面になっている。
【００７６】
本実施例３の見返しリングは第１の見返しリング６３と第２の見返しリング６４とを接着剤を介して接合した構成を取る。金属からなる第１の見返しリング６３は、前述の実施例１と同様に、黄銅板やステンレス板などを用いてプレス加工方法などで傾斜を持った形状に形成し、その傾斜を持った見返し面６３ｃに梨地模様や筋目模様などの各種の模様やメッキ、塗装などの表面処理を施して文字板２５の装飾と同一質感を感じさせる表面に仕上げている。また、第１の見返しリング６３は見返し面６３ｃの一周の部分に、前述の図３をもって説明した実施形態と同じ形状で（図３参照）数字とマークの形状での複数の開口部６３ａを一周に渡って設けていて、その開口部６３ａの形状で切分目盛りを表示している。また、この第１の見返しリング６３の外周面には酸化チタン粉末からなる光反射部材を分散させた反射膜６３ｂを設けている。この反射膜６３ｂは、透明な樹脂に酸化チタン粉末を配合して塗料化し、吹付け塗装方法などによって形成することができる。また、光反射部材は酸化チタン粉末に限らず酸化亜鉛粉末なども選択することができる。
【００７７】
第２の見返しリング６４はポリカーボネイト、ポリエーテルサルフォン、環状非昌質ポリオレフィン、アクリルなどの透明な樹脂の中に蛍光材６５を混ぜ合わせて形成したものからなっていて透過性を持っている。透明な樹脂に蛍光材６５を配合してペレット化し、射出成形機を用いて射出成形方法で形成する。また、第２の見返しリング６４の下面には酸化チタン粉末からなる光反射部材を分散させた反射膜６４ａを設けている。
【００７８】
太陽電池３２は前述の実施例１と同じ仕様で湾曲させて筒状に成形したものを用いている。太陽電池３２の受光面３２ａを第２の見返しリング６４の外周面６４ｂに対面させて熱硬化型の接着剤を介して第２の見返しリング６４と接合している。
【００７９】
上記の構成を取る第１の見返しリング６３と第２の見返しリング６４と太陽電池３２とが接着剤によって一体化され、文字板２５の外周周縁に配設される。そして、中枠（図６に図示はしていない）を介して文字板２５を時計ケース５７内で上方に押しつけることによって、第２の見返しリング６４に設けた突出部６４ｆが時計ケース５７の上面突起部５７ａの下面に当接して第１の見返しリング６３、第２の見返しリング６４、太陽電池３２
が固定される構造になっている。
【００８０】
上記の構成を取る太陽電池付時計は、第１の見返しリング６３の開口部６３ａと第２の見返しリング６４の上面６４ｃから光が第２の見返しリング６４内に入射する。そして、この入射光が蛍光材６５を発光させ、入射光と蛍光材６５の発光した光でもって太陽電池３２の発電を行わせる。また、第１の見返しリング６３の外周面には光反射部材を分散させた反射膜６３ｂを設けている。また、第２の見返しリング６４の下面にも光反射部材を分散させた反射膜６４ａを設けていることによって、反射膜６３ｂ及び反射膜６４ａに当たった光は再び反射して第２の見返しリング６４内に進む。このとき、光反射部材によって光の反射と共に光の分散も起きるので多くの光量が太陽電池３２の受光面３２ａに入射する。そして、発電効率を高める効果を生む。尚、本実施例３においては第２の見返しリング６４に蛍光材を分散させたが、蓄光材を分散させても同様な効果を生む。蓄光材を分散させた場合は暗いところでも発光するので照明の効果も生む。また、本実施例３においては、第１の見返しリング６３の反射膜６３ｂと第２の見返しリング６４の反射膜６４ａは光反射部材を配合した塗料膜で形成した。光反射部材に代えて光分散材や蛍光材を配合した塗料膜で形成しても光反射と光分散が得られ、光反射部材に近い効果が得られる。
【００８１】
また、第２の見返しリング６４に蛍光材６５が入っていることによって、第１の見返しリング６３の開口部６３ａの部分は蛍光材６５の発光によって明るくなる。開口部６３ａで表示した切分目盛りが鮮明に視認されるようになる。
【００８２】
また、前述の実施例１と同様に、見返しリングに色々な装飾を施こしたり、デザインバリエーションを豊富にする効果も得れることは云うまでもない。
【実施例４】
【００８３】
次に、本発明の実施例４に係る太陽電池付時計について図７、図８を用いて説明する。図７は本発明の実施例４に係る太陽電池付時計の要部断面図を示していて、図８は図７における見返しリングの要部斜視図を示している。本実施例４の見返しリングは、金属からなって一部分に開口部７３ａを持つ第１の見返しリング７３と、光分散材７５を分散した透明なプラスチックからなる第２の見返しリング７４との２つの部材を一体成形（インサート成形）で接合したものからなっている。そして、透明な第２の見返しリング７４の外側に太陽電池３２を配設し、内側から第１の見返しリング７３、第２の見返しリング７４、太陽電池３２を順次並べて文字板２５の外周周縁に配設した構造を取っている。また、第２の見返しリング７４はその下面側の内周に内側に向かって突出した突出部７４ｄが設けてあり、その突出部７４ｄ上に第１の見返しリング７３が配設されている。そして、第１の見返しリング７３、第２の見返しリング７４、及び太陽電池３２は文字板２５と時計ケース４７に設けられている風防ガラス２１の受け面となる突出部４７ａとの間に挟さまれて固定される構造を取っている。
【００８４】
金属からなる第１の見返しリング７３は、黄銅板やステンレス板などを用いてプレス加工方法などで傾斜を持った形状に形成し、その見返し面７３ｃに梨地模様や筋目模様などの各種模様やメッキ、塗装などの表面処理を施して文字板２５の装飾と同一質感を感じさせる表面に仕上げている。また、第１の見返しリング７３は見返し面７３ｃの一周の部分に、図８に示すような複数の開口部７３ａを一周に渡って設けている。また、この第１の見返しリング７３の外周面には反射率の高い金属を用いての反射膜７３ｂを設けている。この反射膜７３ｂに用いる金属は、アルミニウム、銀、クロム、パラジウム、ロジウム、プラチナ、金などの可視光域の光に対して反射率の高い金属を用いるのが良く、湿式メッキ方法や乾式メッキ方法などで形成する。また、白色塗料を塗布して反射膜７３ｂとしても良い。ここで、複数の開口部７３ａは、図８に示すように、Ｖ字型と逆台形型の形状をした開口部７３ａ１と細長くスリット型をした開口部７３ａ２との２種類によって構成し
ている。Ｖ字型の開口部７３ａ１は時計として６０分を指す位置にあり、逆台形型の開口部７３ａ１は５分飛びの５、１０、１５、・・・５５分を指す位置に設けている。また、スリット型の開口部７３ａ２はそれ以外の分を指す位置に設けている。そして、Ｖ字型、逆台形型、スリット型のマーク形状で切分目盛りを表示している。
【００８５】
第２の見返しリング７４はポリカーボネイト、ポリエーテルサルフォン、環状非昌質ポリオレフィン、アクリルなどの透明な樹脂の中に光分散材７５を混ぜ合わせたものからなっている。内周面は傾斜した面をなしていて、その傾斜の下面側に近い部分において内側に向かって飛び出した突出部７４ｄが設けられている。光分散材７５としては、本実施例１では酸化シリコン粉末を用いているが、酸化シリコン粉末に限らず炭酸カルシウム粉末、リン酸カルシウム粉末、チタン酸バリウム粉末などの光分散材を利用することができる。この光分散材７５を樹脂の中に配合してペレット化し、射出成形の金型内に第１の見返しリング７３をセットし、射出成形機を用いて射出成形方法で形成する。また、第２の見返しリング７４の下面には反射膜７４ａを設けている。この反射膜７４ａは反射率の高い金属の膜や白色塗料の塗膜などによって構成する。反射率の高い金属としてはアルミニウム、銀、クロム、パラジウム、ロジウム、プラチナ、金などが挙げられ、乾式メッキ方法などで金属膜を形成することができる。尚、文字板２５の仕上げ表面が反射率の高い金属膜で形成されている時にはその金属膜を反射膜として使用し、第２の見返しリング７４の反射膜７４ａを省くことができる。
【００８６】
以上の構成を取る第１の見返しリング７３と第２の見返しリング７４は、一体成形でできているので、後から接着剤などで第１の見返しリング７３と第２の見返しリング７４とを接着する必要がない。
【００８７】
太陽電池３２は前述の実施例１に用いた仕様と同じ仕様のものを用いる。筒状にした太陽電池３２をその受光面３２ａを第２の見返しリング７４の外周面７４ｂに対面させて熱硬化型の接着剤を介して第２の見返しリング７４と接合する。この太陽電池３２を第２の見返しリング７４と接着することで、接着しない場合と比較して発電効率が相当向上することが確認されている。接着剤は熱硬化型に限るものではなく、紫外線硬化型の接着剤や粘着剤を使用しても良いことは言うまでもない。また、第２の見返しリング７４と太陽電池３２の接着は部分的な接着のみでも時計を携帯する上での発電効率には何ら問題ない。
【００８８】
第１の見返しリング７３及び第２の見返しリング７４と太陽電池３２は接着剤を介して繋がって一体となり、文字板２５の外周縁部に配設される。このような構造を取ると、文字板２５と第１の見返しリング７３との間に透過性を有する第２の見返しリング７４の突出部７４ｄが介在し、そこに光の進入道ができる。そして、文字板２５からの反射光が光の進入道となる突出部７４ｄを通って第２の見返しリング７４の奥の方に進んでいく。
【００８９】
上記の構成を取る太陽電池付時計は、第２の見返しリング７４には第１の見返しリング７３の開口部７３ａより入射する光Ｌ１と文字板２５から反射した光で第２の見返しリング７４の突出部７４ｄから入射する光Ｌ４とが入射する。そして、第２の見返しリング７４の中にある光分散材７５によって光が散乱し、その散乱した光が太陽電池３２に入射して太陽電池３２に発電を起こさせる。２方向からの多くの光量を採光し、第１の見返しリング７３の反射膜７３ｂと第２の見返しリング７４の反射膜７４ａの反射効果も作用して多くの光量が太陽電池３２に入射する。そして、発電効率を高める効果を得る。尚、本実施例４においては、第２の見返しリング７４は樹脂の中に光分散材７５を分散したものからなっているが、光分散材７５に代えて酸化チタン粉末などの光反射材を用いることもできる。光反射材は反射と分散作用をもたらすので同じ様な効果を得ることができる。
【００９０】
また、太陽電池３２は金属からできた非透過性の第１の見返しリング７３によって隠れ
てしまう。また、開口部７３ａの見える所であっても、太陽電池３２からの反射光が分散材７５によって散乱してしまうので太陽電池３２の濃紫色色調は視認されない。また、第２の見返しリング７４の突出部７４ｄの所は文字板２５に近い位置にあるので、そこからは太陽電池３２を殆ど確認することはできない。
【００９１】
また、本実施例４においては、開口部７３ａをＶ字型、逆台形型、スリット型のマーク形状で形成し、それを切分目盛りの表示とした。デザイン的にも前述の実施例１で用いた開口部の形状と異なることからデザインバリエーションを増やす効果を生む。このように、開口部の形状を数字、文字、模様、マークなどの形状を用いて行えばデザインバリエーションを豊富に得ることができる。
【実施例５】
【００９２】
次に、本発明の実施例５に係る太陽電池付時計を図９を用いて説明する。図９は本発明の実施例５に係る太陽電池付時計の要部断面図を示している。本発明の実施例５に係る太陽電池付時計の見返しリングの構造は、前述の実施例２における見返しリングの構造と一部分において異なる構造を取っている。その異なる所の構造は、図９に示すように、複数の開口部８３ａを持つ第１の見返しリング８３は外周上部側において外側に向かって突き出したオーバーハング部８３ｄを形成し、第２の見返しリング８４は内周上部側において段部８４ｅを形成し、この段部８４ｅに第１の見返しリング８３のオーバーハング部８３ｄが覆った構造をなしている。
【００９３】
本実施例５の見返しリングは、図９に示すように、第１の見返しリング８３と第２の見返しリング８４とを接着剤を介して接合した構成を取る。第１の見返しリング８３は、５０〜３００μｍ厚みの黄銅板やステンレス板などを用いてプレス加工方法などで傾斜を持った形状に形成し、外周上部側において外側に向かって突き出したオーバーハング部８３ｄを形成している。また、傾斜面である見返し面８３ｃとオーバーハング部８３ｄの上面は梨地模様や筋目模様などの各種の模様やメッキ、塗装などの表面処理を施して、文字板２５の装飾と同一質感を感じさせる表面に仕上げている。また、見返し面８３ｃには一周に渡って、前述の図３をもって説明した実施形態と同じ形状で（図３参照）、数字とマークの形状での複数の開口部８３ａを設けている。また、この第１の見返しリング８３の外周面（オーバーハング部８３ｄの下面も含む）には乾式メッキまたは湿式メッキ法によって反射率の高い金属での反射膜８３ｂを設けている。反射率の高い金属としてはアルミニウム、クロム、銀、パラジウム、ロジウム、プラチナ、金などの金属が用いられる。尚、白色塗料膜を反射膜８３ｂとして用いても良い。
【００９４】
第２の見返しリング８４はポリカーボネイト、ポリエーテルサルフォン、環状非昌質ポリオレフィン、アクリルなどの透明な樹脂の中にカラー顔料を混ぜ合わせてカラー色調を持たせたものからなっていて透過性を持っている。内周面は第１の見返しリング８３の外周面と同一形状に形成してあり、傾斜面をなして、内周上部側において段部８４ｅを形成している。また、上部外周側には外側に向かって突き出した突出部８４ｆを持っている。また、第２の見返しリング８４の下面には乾式メッキ方法によって反射率の高い金属での反射膜８４ａを設けている。反射率の高い金属としてはアルミニウム、クロム、銀、パラジウム、ロジウム、プラチナ、金などの金属が用いられる。尚、白色塗料膜を反射膜８４ａとして用いても良い。
【００９５】
太陽電池３２は前述の実施例１と同じ仕様で湾曲させて筒状に成形したものを用いている。太陽電池３２の受光面３２ａを第２の見返しリング８４の外周面８４ｂに対面させて熱硬化型の接着剤を介して第２の見返しリング８４と接合している。
【００９６】
上記の構成を取る第１の見返しリング８３と第２の見返しリング８４と太陽電池３２と
が接着剤によって一体化され、文字板２５の外周周縁に配設される。そして、中枠（図９に図示はしていない）を介して文字板２５を時計ケース５７内で上方に押しつけることによって、第２の見返しリング８４に設けた突出部８４ｆが時計ケース５７の上面突起部５７ａの下面に当接して第１の見返しリング８３、第２の見返しリング８４、太陽電池３２が固定される構造になっている。尚、第１の見返しリング８３のオーバーハング部８３ｄの上面と第２の見返しリング８４の上面８４ｃは水平な面をなしており、風防ガラス２１の受け面にもなっている。
【００９７】
このような構成を取ることにより、見返しリング部のデザインに変化をもたすことができる。そして、新たなデザインバリエーションが得られる。また、前述の実施例２で得られた効果と同じ効果が本実施例５でも得られることは云うまでない。。
【実施例６】
【００９８】
次に、本発明の実施例６に係る太陽電池付時計を図１０を用いて説明する。図１０は本発明の実施例６に係る太陽電池付時計の要部断面図を示している。本実施例６における太陽電池付時計の見返しリングは、図１０に示すように、第１の見返しリング９３と第２の見返しリング９４とが接着剤を介して接合した構成を取るが、第２の見返しリング９４は内周上部において内側に向かって張り出した張出部９４ｄが形成されており、その張出部９４ｄが第１の見返しリング９３の上部の一部分を覆う構造を取っている。
【００９９】
ここでの第１の見返しリング９３は、５０〜３００μｍ厚みの黄銅板やステンレス板などからできていて、見返し面９３ｃは梨地模様や筋目模様などの各種の模様やメッキ、塗装などの表面処理を施して文字板２５の装飾と同一質感を感じさせる表面に仕上げている。また、見返し面９３ｃには一周に渡って、前述の図３をもって説明した実施形態と同じ形状で（図３参照）、数字とマークの形状での複数の開口部９３ａを設けている。また、この第１の見返しリング９３の外周面には乾式メッキまたは湿式メッキ法によって反射率の高い金属での反射膜９３ｂを設けている。
【０１００】
一方、第２の見返しリング９４はポリカーボネイト、ポリエーテルサルフォン、環状非昌質ポリオレフィン、アクリルなどの透明な樹脂から形成されていて、内周面は第１の見返しリング９３の外周面と同一形状に形成してあり、内周上部には内側に向かって張出部９４ｄが形成され、外周上部には外側に向かって突出部９４ｆが形成されている。また、第２の見返しリング９４の下面には乾式メッキ方法によって反射率の高い金属での反射膜９４ａが形成されている。更に、上面（この上面は風防ガラス２１の受け面にもなっている）に透過性を持った金属薄膜９４ｇが形成され、また、第１の見返しリング９３と接合される内周面で第１の見返しリング９３の開口部９３ａが位置する面に透過性の金属薄膜９４ｈが形成されている。この金属薄膜９４ｇ、９４ｈは真空蒸着法、スパッタリング法などの乾式メッキ法で５０〜１００Åの厚みに形成して５０〜７０％近くの光透過性を持たせている。そして、金属色が薄っすらと視認されるようにしている。使用する金属は限定するものではなく、この金属薄膜９４ｇと９４ｈとは同一金属で形成しても良く、また、異なった金属で形成して異なる色調を出しても良い。第１の見返しリング９３の装飾色仕様に合わせて適宜に金属を設定すると良い。第１の見返しリング９３の開口部９３ａが位置する面に形成する金属薄膜９４ｈは開口部９３ａの所に部分的に形成しても良く、或いは、全ての開口部９３ａが納まるようにベルト状に内周面一周に渡って形成しても良い。
【０１０１】
上記構成の第１の見返しリング９３と第２の見返しリング９４は接着剤によって接合し、更に、筒状に形成した太陽電池３２をその受光面３２ａと第２の見返しリング９４の外周面９４ｂとを対面させて第２の見返しリング９４と接着剤で接合する。そして、これら一体的に繋がった第１の見返しリング９３と第２の見返しリング９４と太陽電池３２とを
文字板２５の外周縁部に配設する構造を取る。
【０１０２】
以上の構成を取る太陽電池付時計は、第１の見返しリング９３の開口部９３ａと第２の見返しリング９４の上面とから金属薄膜９４ｇ、９４ｈを透過して光が入り、太陽電池３２の発電が行われる。太陽電池３２の濃紫色の色調は、金属薄膜９４ｇ、９４ｈの色調の影響を受けて消し去られ、濃紫色色調は視認されなくなる。
【０１０３】
また、このような構成を取ることにより、見返しリング部のデザインに変化をもたすことができる。そして、新たなデザインバリエーションが得られる。
【実施例７】
【０１０４】
次に、本発明の実施例７に係る太陽電池付時計を図１１を用いて説明する。図１１は本発明の実施例７に係る太陽電池付時計の要部断面図を示している。本実施例７に係る太陽電池付時計においては、図１１に示すように、文字板２５の外周縁部に内側から第１の見返しリング１０３、第２の見返しリング１０４、太陽電池３２、第３の見返しリング１０６の順に並んで配設されていて、文字板２５と時計ケース４７の突出部４７ａの間に挟設されて固定されている。太陽電池３２は第２の見返しリング１０４と第３の見返しリング１０６の間に挟まれて、これらは接着剤を介して一体的に組付いている。
【０１０５】
第１の見返しリング１０３は５０〜３００μｍ厚みの黄銅板やステンレス板などの金属板を用いてプレス加工方法などで傾斜を持った形状に形成し、その見返し面１０３ｃに梨地模様や筋目模様などの各種模様やメッキ、塗装などの表面処理を施して文字板２５の装飾と同一質感を感じさせる表面に仕上げている。また、第１の見返しリング１０３は見返し面１０３ｃを成した一周の部分に、前述の図３をもって説明した実施形態と同じ形状で（図３参照）数字とマークの形状での複数の開口部１０３ａを一周に渡って設けていて、その開口部１０３ａの形状で切分目盛りを表示している。また、この第１の見返しリング１０３の外周面には反射膜１０３ｂを設けている。この反射膜１０３ｂは反射率の高いものであれば良いので、白色塗料で形成した白色塗料膜やアルミニウム、銀、クロム、パラジウム、ロジウム、プラチナ、金などの可視光域の光に対して反射率の高い金属で形成した金属膜などが用いられる。尚、第１の見返しリング１０３の最表面の仕上げ膜がアルミニウム、クロム、パラジウム、ロジウム、銀、プラチナ、金などの金属膜であるならばそれをそのまま反射膜として用いて、反射膜１０３ｂを省くことができる。
【０１０６】
第２の見返しリング１０４はポリカーボネイト、ポリエーテルサルフォン、環状非昌質ポリオレフィン、アクリルなどの透明な樹脂の中に光分散材１０５を混ぜ合わせたものからなっている。内周面は傾斜した面をなしていて、第１の見返しリング１０３の外周面と同一形状に形成してある。光分散材１０５としては酸化シリコン粉末、炭酸カルシウム粉末、リン酸カルシウム粉末、チタン酸バリウム粉末などのものを用いることができる。更に、第２の見返しリング１０４の下面には反射膜１０４ａを設けている。この反射膜１０４ａは反射率の高いものであれば良いので、白色塗料で形成した白色塗料膜やアルミニウム、銀、クロム、パラジウム、ロジウム、プラチナ、金などの可視光域の光に対して反射率の高い金属で形成した金属膜などが用いられる。尚、文字板２５の最表面の仕上げ膜がアルミニウム、クロム、パラジウム、ロジウム、銀、プラチナ、金などの金属膜であるならばそれをそのまま反射膜として用いて、反射膜１０４ａを省くことができる。また、光分散材１０５に代えて酸化チタン粉末などの光反射材を用いても良く、光反射材は光反射と光散乱の働きをなすので同様な効果を生む。
【０１０７】
太陽電池３２は、フレキシブルプリント基板上にアルミニウム薄膜等からなる金属電極膜である第１の電極、アモルファスシリコン薄膜からなる光電変換層、ＩＴＯなどの透明導電膜である第２の電極、透明な保護膜を積層して１００〜１５０μｍの厚みに形成され
たものを用い、湾曲させて筒状に成形したものを用いる。その受光面３２ａを第２の見返しリング１０４の外周面に向けて配設する。
【０１０８】
第３の見返しリング１０６は反射手段を持つものであって、太陽電池３２の裏側に回り込んだ光を受光面３２ａ側に反射させるために設けている。従って、反射率が高い材料を用いたものが選ばれる。例えば、薄い金属板にクロム、パラジウム、ロジウム、銀、プラチナ、金などの反射率の高い金属メッキを施して筒状にしたもの、プラスチックフィルムにアルミニウムクロム、クロム、パラジウム、ロジウム、銀、プラチナ、金など金属膜を形成して筒状にしたもの、薄い金属板やプラスチックフィルムなどに白色樹脂膜を形成して筒状にしたもの、筒状に成形した白いプラスチック部材などが第３の見返しリング１０６として用いることができる。
【０１０９】
以上の構成を取る第１の見返しリング１０３、第２の見返しリング１０４、太陽電池３２、第３の見返しリング１０６の４つの部品をそれぞれ接着剤や粘着テープを介して接合して、内側から第１の見返しリング１０３、第２の見返しリング１０４、太陽電池３２、第３の見返しリング１０６の順に繋げて並べ、文字板２５の外周縁部に配設される。
【０１１０】
以上の構成を取った太陽電池付時計は、第１の見返しリング１０３の開口部１０３ａから入射した光は光分散材１０５によって散乱され、散乱した光が太陽電池３２に入射する。また、太陽電池３２の裏側に回り込んだ光は第３の見返しリング１０６の反射手段によって太陽電池３２の受光面３２ａ側に反射されて戻ってくる。そして、第１の見返しリング１０３の反射膜１０３ｂや第２の見返しリング１０４の反射膜１０４ａからの反射作用の働きを受けて、多くの散乱光が太陽電池３２の受光面３２ａに入射する。そして、滅光する光のロスを少なくして発電効率を高める効果を生む。
【実施例８】
【０１１１】
次に、本発明の実施例８に係る太陽電池付時計を図１２を用いて説明する。図１２は本発明の実施例８に係る太陽電池付時計の要部断面図を示している。本実施例８に係る太陽電池付時計の見返しリング周辺の構造は、前述の実施例２の構造に対して太陽電池の配設位置を変えた構造を取っている。図１２に示すように、太陽電池１１２は第２の見返しリング５４に対して傾斜角θを持って配設されている。第１の見返しリング５３、第２の見返しリング５４は前述の実施例２で用いた部品と同一部品を用いているので同一符号を付して表している。従って、ここでは相異するところの構成と構造についてのみ詳しく説明することにする。
【０１１２】
太陽電池１１２は、前述したように、フレキシブルプリント基板上にアルミニウム薄膜等からなる金属電極膜である第１の電極、アモルファスシリコン薄膜からなる光電変換層、ＩＴＯなどの透明導電膜である第２の電極、透明な保護膜を積層して１００〜１５０μｍの厚みに形成されたものからなる。従って、１００〜１５０μｍと薄いが故に湾曲させて筒状に成形することも、先広がりのラッパ状に成形することも可能である。本実施例８で用いる太陽電池１１２は受光面１１２ａが内周面側にあってラッパ状に先広がりの形状に形成されたものを使用する。そして、第２の見返しリング５４の外周側に配設する。この太陽電池１１２は中枠（図１２には図示していないが）を介して時計ケース５７と第２の見返しリング５４との隙間の間に配設・固定される。
【０１１３】
太陽電池１１２を組み付けた状態は、図１２に示すように、風防ガラス２１の方に近づくに従って先広がりの傾斜をなす。従って、太陽電池１１２の受光面１１２ａが風防ガラス２１の方向を向いた状態に配置される。カラー着色されて透過性を持つ第２の見返しリング５４に入射する光は、第１の見返しリング５３の複数の開口部５３ａから入ってくる光Ｌ１と、第２の見返しリング５４の上面５４ｃから入ってくる光Ｌ３との二方向から入
射するが、何れの方向に対しても太陽電池１１２の受光面１１２ａが向いている。このため、受光面１１２ａで多くの直接入射光を採光することができる。そして、直接入射光の採光量が多くなって発電効率を高める効果を得る。太陽電池１１２の傾ける傾斜角θは文字板に対して、９０〜１８０度の範囲の中で設計することができる。傾斜角θが大きくなると第１の見返しリング５３や第２の見返しリング５４の高さを小さくすることができるので薄型化が可能となる。しかし反面、時計ケースを大きくする必要が出てくる。傾斜角θは時計の薄さ、大きさなどを考慮して適宜に設計することが望ましい。
【０１１４】
一方、太陽電池１１２を傾けることによって、太陽電池１１２の濃紫色色調が視認され易くなる。しかしながら、第２の見返しリング５４にカラー着色を施してあることによって濃紫色の色調が和らいで、殆ど目立たたなくなる。その他の効果については前述の実施例２で述べた効果と同じ効果を得る。
【実施例９】
【０１１５】
次に、本発明の実施例９に係る太陽電池付時計を図１３を用いて説明する。図１３は本発明の実施例９に係る太陽電池付時計の要部断面図を示している。本実施例９に係る太陽電池付時計の見返しリング周辺の構造は、図１３に示すように、内側から第１の見返しリング１２３と第２の見返しリング１２４とが接着剤で接合して構成された見返しリングがあり、更に、第２の見返しリング１２４の外周側に接着剤で接合された太陽電池３２が並んでいる。そして、文字板２５の外周縁部に配設されて、文字板２５と風防ガラス２１に挟まれた形で固定されている。風防ガラス２１は時計ケース１２７の上部にある突起部１２７ａ上で防水パッキン２２を介して固定されていて、第２の見返しリング１２４の上面１２４ｃは風防ガラス２１の受け面にもなっている。
【０１１６】
上記、第１の見返しリング１２３は、５０〜３００μｍ厚みの黄銅板やステンレス板などの金属板をプレス加工方法などで傾斜を持った形状に形成し、その傾斜を持った見返し面１２３ｃに梨地模様や筋目模様などの各種の模様やメッキ、塗装などの表面処理を施して文字板２５の装飾と同一質感を感じさせる表面に仕上げている。また、第１の見返しリング１２３は見返し面１２３ｃを成した一周の部分に、前述の図３をもって説明した実施形態と同じ形状で（図３参照）数字とマーク形状での複数の開口部１２３ａを一周に渡って設けていて、その開口部１２３ａの形状で切分目盛りを表示している。また、この第１の見返しリング１２３の外周面には反射膜１２３ｂを設けている。この反射膜１２３ｂは反射率の高いものであれば良いので、白色塗料で形成した白色塗料膜やアルミニウム、銀、クロム、パラジウム、ロジウム、プラチナ、金などの可視光域の光に対して反射率の高い金属で形成した金属膜などが用いられる。尚、第１の見返しリング１２３の最表面の仕上げ膜がアルミニウム、クロム、パラジウム、ロジウム、銀、プラチナ、金などの金属膜であるならばそれをそのまま反射膜として用いて、反射膜１２３ｂを省くことができる。
【０１１７】
また、第２の見返しリング１２４はポリカーボネイト、ポリエーテルサルフォン、環状非昌質ポリオレフィン、アクリルなどの透明な樹脂の中にカラー顔料を混ぜ合わせてカラー色調を持たせたものからなっていて透過性を持っている。内周面は傾斜した面をなしていて、第１の見返しリング１２３の外周面と同一形状に形成してある。また、第２の見返しリング１２４の下面には反射膜１２４ａを設けている。この反射膜１２４ａは反射率の高いものであれば良いので、白色塗料で形成した白色塗料膜やアルミニウム、銀、クロム、パラジウム、ロジウム、プラチナ、金などの可視光域の光に対して反射率の高い金属で形成した金属膜などが用いられる。尚、文字板２５の最表面の仕上げ膜がアルミニウム、クロム、パラジウム、ロジウム、銀、プラチナ、金などの金属膜であるならばそれをそのまま反射膜として用いて、反射膜１２４ａを省くことができる。第２の見返しリング１２４の上面１２４ｃは風防ガラス２１の落着面をなしており、平坦な面に仕上げられている。ここで、第２の見返しリング１２４に混ぜ合わせるカラー顔料の色は第１の見返しリン
グ１２３の見返し面１２３ｃの装飾色の仕様に基づいて適宜に設定するようにすると良い。
【０１１８】
太陽電池３２は前述の実施例１と同じ仕様で湾曲させて筒状に成形したものを用いる。太陽電池３２の受光面３２ａを第２の見返しリング１２４の外周面に向かせて接着剤などを介して第２の見返しリング１２４と接合する。
【０１１９】
以上の構成を取った太陽電池付時計においては、第１の見返しリング１２３の開口部から入射する光Ｌ１と第２の見返しリング１２４の上面１２４ｃから入射する光Ｌ３によって太陽電池３２の発電が行われる。ここで、第２の見返しリング１２４の上面１２４ｃへの風防ガラス２１の風防ガラス受け面の幅が広いと風防ガラス２１を通して第２の見返しリング１２４、太陽電池３２が見えてくる。従って、風防ガラス２１の風防ガラス受け面の幅を２ｍｍ以下に押さえることが望ましい。２ｍｍ以下の下では、第２の見返しリング１２４のカラー色によって太陽電池３２の存在が殆ど目立たなくなる。
【０１２０】
また、本実施例９における見返しリングは、第２の見返しリング１２４を文字板２５に接着固定して風防ガラス２１に力が加わることを防止している。尚、文字板２５は、裏面に設けられた足がムーブメントに固定され、ムーブメントは中枠を介して時計ケース１２７に固定されている（図示せず）。
【０１２１】
また、本実施例９においても、見返しリングの装飾性を高めると共に、デザインバリエーションを豊富にする効果が得られることは云うまでもない。
【０１２２】
以上、本発明の太陽電池付時計の見返しリングと太陽電池との構成を詳細に説明した。全ての実施例において、第１の見返しリングの材質は金属に限らずプラスチック材料やセラミック材料で構成しても良く、透過性をなくす加工を施すことによって使用することができる。また、第１の見返しリングの外周面に設ける反射膜、並びに、第２の見返しリングの下面に設ける反射膜は、そこで光を反射させて再び第２の見返しリング内に光を戻す目的で設けている。金属膜や白色塗料膜からなる反射膜に限らず、光分散材や光反射材を分散した塗料膜であっても光の分散と併せて光の反射作用が起きるので、反射膜に代えて光分散材や光反射材を分散した塗料膜を用いても効果は出る。
【０１２３】
また、上記で説明した各実施例に限らず色々な構成の組み合わせも可能で、組み合わせ可能なものは適宜に組合せして使用すると良い。また、時計ケースや見返しリングの形状にも制限はなく、これらの形状に合わせて太陽電池を配設すればよい。さらに、時計を携帯する上での発電効率に問題がなければ、太陽電池を第２の見返しリングの外周部の一部にのみ配置するだけでも問題ないことは言うまでもない。
【０１２４】
以上述べた太陽電池付時計は、太陽電池本来の濃紫色の色調が透視されず、金属の見返しリングは装飾性を高めて高級感を向上させると同時に、色々なデザイン設計ができる。そして、デザイン性に優れた太陽電池付時計を提供することができる。また、太陽電池を文字板の上面外周縁部に配設したことで日・曜日付の時計にあっては、日板、曜日板を文字板の直ぐ下面に配設することができ、その視認性を高めることができる。
【図面の簡単な説明】
【０１２５】
【図１】本発明の実施形態に係る太陽電池付時計の要部断面図である。
【図２】図１におけるＢ部の拡大図である。
【図３】図１おける第１の見返しリングと第２の見返しリングの斜視図である。
【図４】本発明の実施例１に係る太陽電池付時計の要部断面図である。
【図５】本発明の実施例２に係る太陽電池付時計の要部断面図である。
【図６】本発明の実施例３に係る太陽電池付時計の要部断面図である。
【図７】本発明の実施例４に係る太陽電池付時計の要部断面図である。
【図８】図７における見返しリングの要部斜視図である。
【図９】本発明の実施例５に係る太陽電池付時計の要部断面図である。
【図１０】本発明の実施例６に係る太陽電池付時計の要部断面図である。
【図１１】本発明の実施例７に係る太陽電池付時計の要部断面図である。
【図１２】本発明の実施例８に係る太陽電池付時計の要部断面図である。
【図１３】本発明の実施例９に係る太陽電池付時計の要部断面図である。
【図１４】特許文献１に示された太陽電池付時計の平面図である。
【図１５】図１４における太陽電池付時計の要部断面図である。
【図１６】図１５におけるＡ部の拡大断面図である。
【符号の説明】
【０１２６】
２０      太陽電池付時計
２１      風防ガラス
２２      防水パッキン
２４      指針
２５      文字板
２６      ムーブメント
２７、４７、５７、１２７      時計ケース
２７ａ、４７ａ    突出部
２８      裏蓋
２９      中枠
３２、１１２          太陽電池
３２ａ、１１２ａ      受光面
３３、４３、５３、６３、７３、８３、９３、１０３、１２３    第１の見返しリング
３３ａ、４３ａ、５３ａ、６３ａ、７３ａ、８３ａ、９３ａ、１０３ａ，１２３ａ    開口部
３３ｂ、４３ｂ、５３ｂ、６３ｂ、７３ｂ、８３ｂ、９３ｂ、１２３ｂ    反射膜
３３ｃ、４３ｃ、５３ｃ、６３ｃ、７３ｃ、８３ｃ、９３ｃ、１０３ｃ、１２３ｃ    見返し面
３４、４４、５４、６４、７４、８４、９４、１０４、１２４      第２の見返しリング３４ａ、４４ａ、５４ａ、６４ａ、７４ａ、８４ａ、９４ａ、１０４ａ、１２４ａ    反射膜
３４ｂ、４４ｂ、５４ｂ、６４ｂ、７４ｂ、８４ｂ、９４ｂ    外周面
４５、１０５    光分散材
５４ｃ、６４ｃ、８４ｃ、１２４ｃ    上面
５４ｆ、６４ｆ、８４ｆ、９４ｆ      突出部
５７ａ、１２７ａ    突起部
６５      蛍光材
８３ｄ    オーバーハング部
８４ｅ    段部
９４ｄ    張出部
９４ｇ、９４ｈ    金属薄膜
１０６    第３の見返しリング
【図１】
2006184059.tif 000003
【図２】
2006184059.tif 000004
【図３】
2006184059.tif 000005
【図４】
2006184059.tif 000006
【図５】
2006184059.tif 000007
【図６】
2006184059.tif 000008
【図７】
2006184059.tif 000009
【図８】
2006184059.tif 000010
【図９】
2006184059.tif 000011
【図１０】
2006184059.tif 000012
【図１１】
2006184059.tif 000013
【図１２】
2006184059.tif 000014
【図１３】
2006184059.tif 000015
【図１４】
2006184059.tif 000016
【図１５】
2006184059.tif 000017
【図１６】
2006184059.tif 000018